(57)【要約】【課題】補修やメンテナンス等の作業時に温水熱交換器の水抜きを容易に行うことが可能な空気調和器を提供する。【解決手段】空気調和機１の運転が全停止されているときに、開閉弁１９を開弁する水抜時開弁手段と、空気調和機１の運転が全停止されているときに、水抜時開弁手段を起動する水抜きスイッチとを備える。これにより、補修やメンテナンス等の作業時に、機器本体の動作状態を全停止状態としている場合でも、水抜きスイッチを操作して水抜時開弁手段により開閉弁１９を開弁することによって、容易に水抜きを行うことが可能となる。【選択図】図１
2008151457.tif 000002
【特許請求の範囲】
【請求項１】
筐体と、
前記筐体内に形成され、空調空間と外気空間との間で空気を流通させる通風路と、
前記通風路に空気を流通させる送風機と、
前記通風路内に設けられ、前記通風路内の空気を温水熱により加温する温水熱交換器と、
前記筐体内に設けられ、前記温水熱交換器の温水の通水を断通する開閉弁と、
を備えた空気調和機において、
前記空気調和機の運転が全停止されているときに、前記開閉弁を開弁する水抜時開弁手段と、
前記空気調和機の運転が全停止されているときに、前記水抜時開弁手段を起動する水抜きスイッチと、
を備えていることを特徴とする空気調和機。
【発明の詳細な説明】
【技術分野】
【０００１】
本発明は、温水により空気を加熱する熱交換器を備えた空気調和機に関する。
【背景技術】
【０００２】
機器本体の内部に形成された通風路を流通する空気を温水熱交換器によって加熱する機能を備えた空気調和機は、広く用いられている。空気調和機は、部屋の壁や天井に設置され、室内の空気の冷房、暖房、除湿、又は加湿を行う。この場合、温水熱交換器には、部屋の外部に設置された給湯器から、配管を通して温水が循環される。
【０００３】
既に設置された空気調和機の修理やメンテナンスを行う場合、空気調和機を部屋の壁や天井から取り外す必要がある。この場合、温水熱交換器に接続された配管を、空気調和機から取り外す必要がある。このとき、配管を取り外した後に、空気調和機の温水熱交換器の内部に水が貯まっていると、修理中、メンテナンス中、又は搬送中にその水が溢れ、周囲を濡らしてしまう場合がある。そこで、斯かる場合、温水熱交換器内の水を事前に抜き取る水抜きが行われる。
【０００４】
一般に、空気調和機の温水熱交換器へ供給する温水の断通は、電動開閉弁により行われる。水抜きを行う場合、温水熱交換器への温水の断通を行う電動開閉弁を開弁させる必要がある。そこで、従来は、水抜きのために電動開閉弁を開弁させるため、一旦、空気調和機を運転状態として、電動開閉弁の操作を行っていた。
【特許文献１】特開２００１−１９３９４８号公報
【特許文献２】特開２００３−２８５０３号公報
【特許文献３】特開平８−１２１８６７号公報
【特許文献４】特開平８−１２１８６６号公報
【発明の開示】
【発明が解決しようとする課題】
【０００５】
しかしながら、通常、補修やメンテナンス等を行う場合、一旦機器を全停止させてからメンテナンス等の作業にはいる。作業開始後、筐体の蓋を開けた後などに、温水熱交換器の水抜きをし忘れたことを気がついた場合、安全のために一旦筐体の蓋を閉じて空気調和機を起動させて水抜きを行う必要がある。従って、メンテナンス等の作業が煩わしくなるという問題があった。
【０００６】
そこで、本発明の目的は、補修やメンテナンス等の作業時に温水熱交換器の水抜きを容易に行うことが可能な空気調和機を提供することにある。
【課題を解決するための手段】
【０００７】
本発明に係る空気調和機は、筐体と、前記筐体内に形成され、空調空間と外気空間との間で空気を流通させる通風路と、前記通風路に空気を流通させる送風機と、前記通風路内に設けられ、前記通風路内の空気を温水熱により加温する温水熱交換器と、前記筐体内に設けられ、前記温水熱交換器の温水の通水を断通する開閉弁と、を備えた空気調和機において、前記空気調和機の運転が全停止されているときに、前記開閉弁を開弁する水抜時開弁手段と、前記空気調和機の運転が全停止されているときに、前記水抜時開弁手段を起動する水抜きスイッチと、を備えていることを特徴とする。
【０００８】
この構成により、補修やメンテナンス等の作業時に、機器本体の動作状態を全停止状態としている場合でも、水抜きスイッチを操作して水抜時開弁手段により開閉弁を開弁することによって、容易に水抜きを行うことが可能となる。
【０００９】
ここで、「水抜きスイッチ」は、いわゆる通常のスイッチの他、表示画面に画像として表示される選択釦を選択してスイッチ入力するものであってもよい。また、開閉弁としては、熱動弁、電動弁、電磁弁等を用いることができる。
【発明の効果】
【００１０】
以上のように、本発明によれば、補修やメンテナンス等の作業時に、機器本体の動作状態を全停止状態としている場合にも、水抜きスイッチと水抜時開弁手段により開閉弁を開弁することによって、容易に水抜きを行うことが可能となるため、補修やメンテナンスの作業が容易となる。
【発明を実施するための最良の形態】
【００１１】
以下、本発明を実施するための最良の形態について、図面を参照しながら説明する。
【実施例１】
【００１２】
図１は、本発明の実施例１に係る空気調和機１の構成を表す図である。図２は、図１の空気調和機１の構成を模式化した図である。本実施例では、空気調和機１の一例として、室内空間の除湿を行うデシカント空調機を挙げて説明する。
【００１３】
空気調和機１は、平面視で方形の筐体２を備えている。筐体２の内部は、仕切部材３，４，５によって除湿流路Ａと再生流路Ｂとに区画されている。除湿流路Ａは、室外空間から室内に給気される室外空気ＯＡが流通する通風路である。また、再生流路Ｂは、室内空間から室外空間に排気される室内空気ＲＡが流通する流路である。
【００１４】
筐体２の左右側壁は、それぞれ室外空間、室内空間に面して設置される。室外空間に面した筐体２の側壁には、除湿流路吸気口６及び再生流路排気口７が形成されている。また、室内空間に面した側の筐体２の側壁には、再生流路吸気口８及び除湿流路排気口９が設けられている。
【００１５】
また、筐体２の内部には、ロータアセンブリ１０、顕熱交換器１１、第１送風機１２、第２送風機１３、再生熱交換器１５、室内温湿度センサ１７、室外温湿度センサ１８、開閉弁１９、再生サーミスタ２０、及び制御基板２１が設けられている。また、ロータアセンブリ１０は、デシカントロータ１４、ロータ軸１４ａ、ロータ枠１４ｂ、ロータギア１４ｃ，１４ｄ、及びロータモータ１６を備えている。
【００１６】
再生熱交換器１５には、内部給湯管１５ａを通して温水が循環される。内部給湯管１５ａは、室内に面した側の筐体２の側壁に設けられた配管接続ニップル２２，２３に接続されている。配管接続ニップル２２，２３には、外部に設置された給湯器（図示せず）から温水を循環供給する外部給湯管（図示せず）が接続される。再生熱交換器１５は、この温水と再生流路Ｂ内の空気と熱交換を行い、再生流路Ｂ内の空気を加熱する。
【００１７】
除湿運転の動作が行われている場合、室外空気ＯＡは第２送風機１３により除湿流路Ａを流通される。また、室内空間の室内空気ＲＡは、第１送風機１２により再生流路Ｂを流通される。また、デシカントロータ１４は、ロータモータ１６により低速回転され、除湿流路Ａの空気の湿分を吸着し再生流路Ｂの空気へ脱離することにより、湿分の交換を行う。開閉弁１９は開弁され、再生熱交換器１５に温水が循環される。
【００１８】
室外空間から除湿流路Ａに流入する室外空気ＯＡは、デシカントロータ１４を通過する。このとき、空気中の湿分はデシカントロータ１４に吸着される、そして、顕熱交換器１１で室内空気ＲＡと熱交換を行った後、第２送風機１３を通って除湿流路排気口９から室内に排出される。
【００１９】
一方、室内空間から再生流路Ｂに流入する室内空気ＲＡは、まず、顕熱交換器１１において、除湿流路Ａの空気と熱交換を行った後、再生熱交換器１５、デシカントロータ１４を通過する。再生流路Ｂの空気は、再生熱交換器１５において加熱され、温度の高い状態でデシカントロータ１４を通過するため、デシカントロータ１４に吸着した湿分は脱離し、再生流路Ｂ内の空気に放出される。そして、湿分を伴った空気は、第１送風機１２を通過し、再生流路排気口７から室外へ排出される。
【００２０】
空気調和機１の全体の動作制御は、制御基板２１により行われる。また、制御基板２１には、リモコン３０が接続されており（図２参照）、遠隔操作が可能とされている。リモコン３０は、図３に示すように、液晶表示画面３０ａと複数の入力釦３０ｂとが設けられている。そして、液晶表示画面３０ａの表示に従って入力釦３０ｂを押釦することによって、制御基板２１へ指示を入力することができる。
【００２１】
以上のような構成の空気調和機１において、メンテナンスを行う場合、まずリモコン３０により、空気調和機１の動作状態を全停止状態とする。全停止状態では、第１送風機１２、第２送風機１３、及びロータモータ１６は停止し、開閉弁１９は閉止した状態にある。
【００２２】
そして、まず、配管接続ニップル２２，２３に接続された外部給湯器を抜管する。これにより、内部給湯管１５ａは管端が解放されるが、開閉弁１９が閉止しているため、水抜きはできない。
【００２３】
そこで、次に、リモコン３０に設けられたメンテナンスモードスイッチを押釦し、メンテナンスモードとする。このとき、リモコン３０の液晶表示画面３０ａには、メンテナンスモードの表示が行われる。
【００２４】
メンテナンスモードの表示においては、再生熱交換器１５の「水抜き」動作を選択する「水抜き釦」が表示される。そこで、入力釦３０ｂにより「水抜き釦」を選択した場合、制御基板２１は、開閉弁１９を開弁する。これにより、再生熱交換器１５内の水は排水される。
【００２５】
以上のように、本実施例に係る空気調和機１では、全停止状態において、リモコン３０をメンテナンスモードとし、「水抜き釦」を選択することで開閉弁１９を開弁させることができるようにしたことで、補修やメンテナンス等の作業時に温水熱交換器の水抜きを容易に行うことが可能となる。
【００２６】
以上の説明では、空気調和機１は、除湿型デシカント空調機として説明してきたが、複数の温水熱交換器を有する加湿型デシカント空調機にも本発明を適用することができる。複数の温水熱交換器を有する場合には、一度に全ての開閉弁を開弁させるのではなく、一つの温水熱交換器の抜水が完了したら、次の温水熱交換器の抜水を行うよう、順次抜水を行うことが望ましい。
【図面の簡単な説明】
【００２７】
【図１】本発明の実施例１に係る空気調和機１の構成を表す図である。
【図２】図１の空気調和機１の構成を模式化した図である。
【図３】リモコン３０の構成を示す図である。
【符号の説明】
【００２８】
１  空気調和機
２  筐体
３，４，５  仕切部材
６  除湿流路吸気口
７  再生流路排気口
８  再生流路吸気口
９  除湿流路排気口
１０  ロータアセンブリ
１１  顕熱交換器
１２  第１送風機
１３  第２送風機
１４  デシカントロータ
１４ａ  ロータ軸
１４ｂ  ロータ枠
１４ｃ，１４ｄ  ロータギア
１５  再生熱交換器
１５ａ  内部給湯管
１６  ロータモータ
１７  室内温湿度センサ
１８  室外温湿度センサ
１９  開閉弁
２０  再生サーミスタ
２１  制御基板
２２，２３  配管接続ニップル
Ａ  除湿流路
Ｂ  再生流路
３０  リモコン
３０ａ  液晶表示画面
３０ｂ  入力釦
【図１】
2008151457.tif 000003
【図２】
2008151457.tif 000004
【図３】
2008151457.tif 000005